(57)【要約】【課題】スライダ内の近接場光素子とスライダ外の光源との効率の良い接続と、スライダの安定浮上の両立を実現できるヘッドジンバルアセンブリ及びそれを備えた情報記録再生装置を提供すること。【解決手段】フレクシャ２０４の開口部２０４ａに囲まれたパッド部２０４ｂにスライダ２が固定されている。フレクシャ２０４に設けられた光導波路４０１は開口部２０４ａをまたいで、直線的にスライダ２に接続される。【選択図】図４
2011008884.tif 000002
【特許請求の範囲】
【請求項１】
記録媒体の表面に沿って延設されたサスペンションと、
前記サスペンションの一部を構成するフレクシャと、
前記フレクシャ上に前記記録媒体の表面と対向するように配置され、光束を用いて近接場を発生するスライダと、
前記フレクシャ上に固定され、かつ前記スライダに光学的に接続されており、前記光束を前記スライダに導入する光導波路から構成され、
前記フレクシャは、前記スライダ近傍に開口部を有し、前記光導波路は、前記開口部をまたぐように備えられており、
前記開口部は、
前記サスペンションの先端側よりも基部側に備えられる基部側開口部分を備え、
前記基部側開口部分は、
前記光導波路に対向して備えられ、前記光導波路の幅よりも広い幅を有しており前記光導波路に沿って形成された長手開口を備えることを特徴とする近接場光利用ヘッドジンバルアセンブリ。
【請求項２】
前記開口部は、前記スライダを囲むような略コ字状であることを特徴とする請求項１に記載の近接場光利用ヘッドジンバルアセンブリ。
【請求項３】
前記光導波路は、少なくとも前記開口部の縁に固定されていることを特徴とする請求項１に記載の近接場光利用ヘッドジンバルアセンブリ。
【請求項４】
前記光導波路は、その光伝搬の軌道が略直線状であることを特徴とする請求項１に記載の近接場光利用ヘッドジンバルアセンブリ。
【請求項５】
請求項１から請求項４のいずれか１項に記載の近接場光利用ヘッドジンバルアセンブリと、前記記録媒体とを備える情報記録再生装置。
【発明の詳細な説明】
【技術分野】
【０００１】
本発明は、光を集光したスポット光を利用して記録媒体に各種の情報を記録再生する近接場光利用ヘッドジンバルアセンブリ及びそれを備えた情報記録再生装置に関するものである。
【背景技術】
【０００２】
近年、コンピュータ機器におけるハードディスクドライブ等の情報記録再生装置は、より大量且つ高密度情報の記録再生を行いたい等のニーズを受けて、さらなる高密度化が求められている。そのため、隣り合う磁区同士の影響や、熱揺らぎを最小限に抑えるために、保磁力の強いものが記録媒体として採用され始めている。そのため、記録媒体に情報を記録することが困難になっていた。
【０００３】
そこで、上述した不具合を解消するために、光を集光したスポット光、若しくは、光を集光した近接場光を利用して磁区を局所的に加熱して一時的に保磁力を低下させ、その間にディスクへの書き込みを行うハイブリッド磁気記録方式の情報記録再生装置が提供されている。特に、近接場光を利用する場合には、従来の光学系において限界とされていた光の波長以下となる領域における光学情報を扱うことが可能となる。よって、従来の光情報記録再生装置等を超える記録ビットの高密度化を図ることができる。
【０００４】
上述したハイブリッド磁気記録方式による情報記録再生装置としては、各種のものが提供されているが、その１つとして、近接場光の生成を行うための光を近接場光素子に供給することで、近接場光素子から十分大きな近接場光を生成し、超高分解能の再生記録、高速記録再生、高ＳＮ比化を図ることができる情報記録再生装置が知られている。この情報記録再生装置は、近接場光素子を備えたスライダに記録媒体上をスキャンさせ、スライダを記録媒体上の所望する位置に配置する。その後、光源から放射された近接場光とスライダから発生する記録磁界とを協働させることで、記録媒体に情報を記録することができる。
【０００５】
ここで、ハイブリッド磁気記録方式における光の供給方式として、例えば特許文献１に示されるように、サスペンション上に光導波路を設けるヘッドジンバルアセンブリの構成が知られている。
【先行技術文献】
【特許文献】
【０００６】
【特許文献１】特許第４１６２６９７号公報
【発明の概要】
【発明が解決しようとする課題】
【０００７】
しかしながら、上述の従来技術によるヘッドジンバルアセンブリでは、十分に光を供給することができない。特許文献１の図１に示すように、スライダの安定浮上を司るサスペンションの動作を妨げないように、光導波路は小さい曲率半径で屈曲しているが、このような小さい曲率半径の屈曲では光導波路はそのコア内に光を保持することは難しい。結果として、記録媒体に情報記録をおこなう際に、十分に磁区を加熱することができず、情報記録に失敗してしまう可能性がある。
【０００８】
そこで本発明は、このような事情に考慮してなされたもので、その目的は、スライダ内の近接場光素子とスライダ外の光源との効率の良い接続と、スライダの安定浮上の両立を実現できる近接場光利用ヘッドジンバルアセンブリ及びそれを備えた情報記録再生装置を提供することである。
【課題を解決するための手段】
【０００９】
本発明は、上記目的を達成するために、以下の手段を提供する。
本発明に係る近接場光利用ヘッドジンバルアセンブリは、サスペンションの一部を構成するフレクシャと、フレクシャ上に記録媒体の表面と対向するように配置され、光束を用いて近接場を発生するスライダと、フレクシャ上に固定され、かつスライダに光学的に接続されており、光束をスライダに導入する光導波路から構成され、フレクシャは、スライダ近傍に開口部を有し、光導波路は、開口部をまたぐように備えられており、開口部は、サスペンションの先端側よりも基部側に備えられる基部側開口部分を備え、基部側開口部分は、光導波路に対向して備えられ、光導波路の幅よりも広い幅を有しており光導波路に沿って形成された長手開口を備えることを特徴とするものである。
【００１０】
本発明に係る近接場光利用ヘッドジンバルアセンブリにおいては、前記開口部を有するフレクシャが弾性変形することにより、フレクシャに固定されたスライダが、記録媒体の表面のうねり等に対応して記録媒体上を安定に浮上することができる。よって、スライダに搭載された磁極、近接場光素子、再生素子といった記録再生素子と記録媒体との距離を一定に保つことができるため、正確かつ安定した記録再生を実現することができる。
【００１１】
また、光導波路が開口部の基部側開口部分をまたぐことから、光導波路が開口部をまたぐ自由部が長く取れることから、光導波路がスライダの動きに応じて搖動し易くなり、光導波路がスライダの安定浮上を妨げることが低減される。
【００１２】
また、自由部の長さを確保するための基部側開口部分の拡大を、切り欠きに限定することができるので、フレクシャの強度を確保することができる。よって、スライダの安定浮上を実現することができる。また、フレクシャの耐久性を確保することができる。
また、切り欠きは開口部と一括して加工することができるため、本ヘッドジンバルアセンブリを低コストに実現することができる。
【００１３】
また、本発明に係る近接場光利用ヘッドジンバルアセンブリは、前記開口部が前記スライダを囲むような略コ字状であることを特徴とするものである。
【００１４】
本発明に係る近接場光利用ヘッドジンバルアセンブリにおいては、開口部が略コ字状であることにより、フレクシャに固定されたスライダが、記録媒体の表面のうねり等に対応して記録媒体上をより安定に浮上することができる。
【００１５】
また、本発明に係る近接場光利用ヘッドジンバルアセンブリは、前記光導波路が少なくとも前記開口部の縁に固定されていることを特徴とするものである。
【００１６】
本発明に係る近接場光利用ヘッドジンバルアセンブリにおいては、光導波路の大半をフレクシャに固定できることから、製造が容易になる。
【００１７】
また、本発明に係る近接場光利用ヘッドジンバルアセンブリは、前記光導波路がその光伝搬の軌道が略直線状であることを特徴とするものである。
【００１８】
本発明に係る近接場光利用ヘッドジンバルアセンブリにおいては、光伝搬の損失となる光導波路の屈曲等がないため、十分な光を近接場光素子に与えることができる。よって、安定した情報記録ができる。
【００１９】
また、本発明に係る情報記録再生装置は、上記本発明の近接場光利用ヘッドジンバルアセンブリと、前記記録媒体と、から構成されることを特徴とするものである。
【００２０】
本発明に係る情報記録再生装置においては、記録媒体を回転させた後、ピボット軸まわりにキャリッジを回動させて、サスペンションに支持されたスライダをスキャンさせる。そして、スライダを記録媒体上の所望する位置に配置させる。その後、光源から光導波路内に光束を入射させる。これにより、ヘッドジンバルアセンブリのスライダを利用して、記録媒体に各種の情報の記録再生を行うことができる。
特に、本発明のヘッドジンバルアセンブリを備えているので、情報の記録再生を正確且つ高密度に行うことができ、高品質化を図ることができる。また、安定した性能の情報記録再生装置を安価に製造することが出来る。
【発明の効果】
【００２１】
本発明に係る近接場光利用ヘッドジンバルアセンブリによれば、スライダ内の近接場光素子とスライダ外の光源との効率の良い接続と、スライダの安定浮上の両立を実現できる。よって、高性能な情報記録再生装置を提供することができる。
【図面の簡単な説明】
【００２２】
【図１】本発明に係る情報記録再生装置の一実施形態を示す構成図である。
【図２】図１に示すヘッドジンバルアセンブリの斜視図である。
【図３】図２のＡ−Ａ’線に沿う断面図である。
【図４】図２に示すヘッドジンバルアセンブリの拡大図である。
【図５】図４のＢ−Ｂ’線に沿う断面図である。
【図６】本発明に係るヘッドジンバルアセンブリの別の変形例を示す図である。
【発明を実施するための形態】
【００２３】
（第１実施形態）
以下、本発明に係る第１実施形態を、図１から図６を参照して説明する。図１は、本発明に係る情報記録再生装置１の一実施形態を示す構成図である。なお、本実施形態の情報記録再生装置１は、磁気記録層を有する記録媒体Ｄに対して、熱アシスト磁気記録方式で書き込みを行う装置である。
【００２４】
図１に示すように本実施形態の情報記録再生装置１において、スライダ２が固定されたサスペンション３が、キャリッジ１１に固定されている。スライダ２とサスペンション３を合わせて、ヘッドジンバルアセンブリ１２と呼ぶ。円盤状の記録媒体Ｄはスピンドルモータ７によって所定の方向に回転する。キャリッジ１１はピボット１０を中心に回転可能になっており、制御部５からの制御信号によって制御されるアクチュエータ６によって回転し、スライダ２を記録媒体Ｄ表面の所定の位置に配置することができる。ハウジング９はアルミニウムなどから成る箱状（図１では説明を分かりやすくするため、ハウジング９の周囲を取り囲む周壁を省略している）ものであり、上記の部品をその内部に格納している。スピンドルモータ７はハウジング９の底面に固定されている。スライダ２は記録媒体Ｄに向けて磁場を発生させる磁極（図示略）と、近接場光スポットを発生する近接場光素子（図示略）と、記録媒体Ｄに記録された情報を再生する再生素子（図示略）を有している。磁極と再生素子は、サスペンション３およびキャリッジ１１に沿って敷設された光電気複合配線１３、キャリッジ１１側面に設けられたターミナル１４およびフラットケーブル４を介して制御部５に接続されている。
【００２５】
記録媒体Ｄは１枚でも良いが、図１に示すように複数枚設けても良い。記録媒体Ｄの枚数が増えれば、ヘッドジンバルアセンブリ１２の個数も増加する。図１では記録媒体Ｄの片面側のみにヘッドジンバルアセンブリ１２が設けられている構成を示しているが、両面に設けても良い。よって、ヘッドジンバルアセンブリ１２の個数は、最大で記録媒体Ｄの枚数の倍になる。これにより、情報記録再生装置の記録容量の増加及び装置の小型化を図ることができる。
【００２６】
図２は第１実施形態に係るヘッドジンバルアセンブリ１２の拡大図である。サスペンション３は、ステンレス薄板を材料とする、ベースプレート２０１、ヒンジ２０２、ロードビーム２０３、フレクシャ２０４からなる。ベースプレート２０１は、その一部に設けられた取り付け穴２０１ａにより、キャリッジ１１に固定されている。ヒンジ２０２はベースプレート２０１とロードビーム２０３を接続している。ヒンジ２０２はベースプレート２０１とロードビーム２０３よりも薄くなっており、ヒンジ２０２を中心としてサスペンション３がたわむようになっている。フレクシャ２０４はロードビーム２０３、ヒンジ２０２に固定された細長い部材であり、ロードビーム２０３やベースプレート２０１よりも薄くなっており、たわみやすく出来ている。フレクシャ２０４の先端には略直方体形状のスライダ２が固定されている。
【００２７】
スライダ２の表面のうちフレクシャ２０４に固定された面の反対面は、記録媒体Ｄに対向する面である。この面は回転する記録媒体Ｄによって生じた空気流の粘性から、スライダ２が浮上するための圧力を発生させる面であり、ＡＢＳ（Ａｉｒ  Ｂｅａｒｉｎｇ  Ｓｕｒｆａｃｅ）と呼ばれている。ＡＢＳ上には図示を略した凹凸形状が設けられており、スライダ２と記録媒体Ｄ間に所望の圧力分布を発生させている。スライダ２を記録媒体Ｄから離そうとする正圧とスライダ２を記録媒体Ｄに引き付けようとする負圧と、サスペンション３による押しつけ力の釣り合いで、スライダ２は所望の状態で浮上している。記録媒体Ｄとスライダ２のすきまの最低値は１０ｎｍ程度もしくはそれ以下となっている。サスペンション３による押しつけ力は主にヒンジ２０２の弾性により発生している。また、記録媒体Ｄ表面のうねりに対して、ヒンジ２０２およびフレクシャ２０４がたわむことで、所望の浮上状態を維持することが出来る。
【００２８】
フレクシャ２０４上には光電気複合配線１３が設けられている。取り付け穴２０１ａ近傍の光電気複合配線１３上にはレーザ２０５が配置され、光電気複合配線１３と電気的光学的に接続されている。また、レーザ２０５はキャリッジ１１、あるいは制御部５近傍に配置されていても良い。レーザ２０５とスライダ２は光電気複合配線１３内の光導波路を介して光学的に接続されている。制御部５からの電気信号によりレーザ２０５が駆動し、レーザ２０５からの光が光電気複合配線１３内の光導波路によりスライダ２に設けられた近接場光素子に導かれる。
【００２９】
図３は図２のＡ−Ａ’線に沿うフレクシャ２０４と光電気複合配線１３の断面図である。光電気複合配線１３は、フレクシャ２０４上に形成された絶縁層３０１と、絶縁層３０１上に形成された複数本の電気配線３０２およびコア３０３と、これらを覆うカバー層３０４からなる。電気配線３０２は、銅、アルミニウム、金等の材料からなる。絶縁層３０１とカバー層３０４は電気配線３０２の絶縁を担うと共に、コア３０３を覆うクラッド層の機能を有し光導波路を構成する。絶縁層３０１とカバー層３０４の屈折率は等しく、コア３０３の屈折率よりも小さい。絶縁層３０１、カバー層３０４、コア３０３のいずれもポリイミド等の樹脂からなる。
【００３０】
図４は第１実施形態に係るスライダ２近傍の拡大図である。フレクシャ２０４は略コ字状の開口部２０４ａを有しており、この開口部２０４ａに囲まれて舌状となったパッド部２０４ｂ上にスライダ２が固定されている。スライダ２の端部のうち、サスペンション３の根本側（キャリッジ１１側）は流入端２ａと呼ばれている。その反対のサスペンション３の先端側は、スライダ２の流出端２ｂと呼ばれている。これらは、前述の記録媒体Ｄによる空気流の方向に基づいて名付けられている。磁極（図示略）、近接場光素子（図示略）および再生素子（図示略）は、スライダ２の流出端２ｂ側の側面に設けられている。サスペンション３の根本から延設された光電気複合配線１３は、途中から１本の光導波路４０１と２本の電気配線４０２に分岐する。２本の電気配線４０２は、開口部２０４ａおよびスライダ２の両側を回り込むように、流出端２ｂ側の磁極および再生素子に接続されている。逆に、光導波路４０１は流入端２ａ側から挿入されている。これは、一般に光導波路は電気配線よりも曲げに弱く、スライダ２を回り込むような配線を行えないためである。
開口部２０４ａは、サスペンション３の先端側よりも基部側に備えられる切り欠き４０３（基部側開口部分）を備える。切り欠き４０３は、光導波路４０１に対向して備えられ、光導波路４０１の幅よりも広い幅を有しており光導波路４０１に沿って形成された長手開口を備える。より具体的には、光導波路４０１下には開口部２０４ａの面積を広げるような凸状の切り欠き４０３が設けられている。
【００３１】
図５は図４のＢ−Ｂ’線に沿う断面図である。ロードビーム２０３の先端には半球状突起２０３ａが設けられている。半球状突起２０３ａはパッド部２０４ｂに点接触している。この接触点を中心にパッド部２０４ｂが傾くことで、前述のように記録媒体Ｄ表面のうねりに対応することができる。光導波路４０１の一端はスライダ２およびパッド部２０４ｂに固定されており、さらに開口部２０４ａをまたいでフレクシャ２０４上に固定されている。このとき、フレクシャ２０４は切り欠き４０３を有するので、切り欠き４０３上にある光導波路４０１は、フレクシャ２０４上に固定することができず、光導波路４０１は開口部２０４ａと切り欠き４０３をまたいでいることになる。この間の光導波路４０１は固定されていない自由部となるので、パッド部２０４ｂの傾きに応じて弾性変形する。切り欠き４０３がない場合、光導波路４０１は開口部２０４ａの縁までフレクシャ２０４に固定されるので、切り欠き４０３がある場合に比べて前記の自由部が短くなり、パッド部２０４ｂの傾きを妨げてしまう。切り欠き４０３があることによって、自由部が長くなりパッド部２０４ｂの傾きを妨げない。切り欠き４０３を用いることなく、開口部２０４ａを全体的に大きくすることでも自由部を長くすることは可能であるが、その場合はフレクシャ２０４の強度を確保することが困難になる。
【００３２】
このような構成によって、光導波路４０１によりパッド部２０４ｂの傾き動作を妨げることが低減される。パッド部２０４ｂの傾き動作を含めたフレクシャ２０４のたわみは、前述のようにスライダ２の安定浮上に不可欠なものであるから、本構成によって光導波路４０１にも関わらず、スライダ２の安定浮上を実現することができる。よって、磁極、近接場光素子、再生素子と記録媒体Ｄとの距離を一定に保つことができるため、正確かつ安定した記録再生を実現することができる。
また、開口部２０４ａの拡大を切り欠き４０３に限定することができるので、フレクシャ２０４の強度を確保することができる。よって、スライダ２の安定浮上を実現することができる。また、フレクシャの耐久性を確保することができる。
また、光導波路４０１がスライダ２の流入端２ａ側に接続されていることから、光導波路４０１を略直線上にしたままスライダ２と接続でき、一般的に曲率半径を小さくできない光導波路に対して、導光効率を維持することができる。
また、切り欠き４０３は開口部２０４ａと一括して加工することができるため、上記の効果を低コストに実現することができる。
【００３３】
なお、本発明の技術範囲は、上述した実施形態に限定されるものではなく、本発明の趣旨を逸脱しない範囲において、上述した実施形態に種々の変更を加えたものを含む。すなわち、上述した実施形態で挙げた構成等はほんの一例に過ぎず、適宜変更が可能である。
【００３４】
例えば、光電気複合配線１３を用いずに、図６に示すように光導波路６０１と電気配線６０２を別体として構成することもできる。この構成によっても上述した実施形態と同様の効果を得ることができる。
また、フレクシャ２０４の開口部は必ずしも略コ字状に限定されず、スライダ２を固定するパッド部の傾き動作が実現できるような開口部であれば良い。
また、上述した各実施形態を適宜組み合わせて採用することも可能である。
【符号の説明】
【００３５】
Ｄ記録媒体  １情報記録再生装置  ２スライダ  ３サスペンション  １１キャリッジ  １２ヘッドジンバルアセンブリ  １３光電気複合配線  ２０４フレクシャ  ４０１光導波路位置決め部  ４０３切り欠き
【図１】
2011008884.tif 000003
【図２】
2011008884.tif 000004
【図３】
2011008884.tif 000005
【図４】
2011008884.tif 000006
【図５】
2011008884.tif 000007
【図６】
2011008884.tif 000008